(57)【要約】  手乾燥装置（１００）は、手を挿抜可能な空間である手挿入部（３）をなす凹部が形成されたケーシング（１）と、手挿入部（３）の上方から下向きに空気流を噴出させるノズルと、手挿入部（３）の後方に配置される背面側水受け部（４ａ）と、手挿入部（３）の下方に配置される底面側水受け部（４ｂ）とを有する水受け部（４）と、底面側水受け部（４ｂ）の下方でケーシング（１）に着脱されるドレン容器（６）とを有し、ケーシング（１）は、ドレン容器（６）を支持するケーシング係止突起部（１９ａ）を備え、ドレン容器重心位置（５１）は、ケーシング係止突起部（１９ａ）がドレン容器（６）を支持するドレン容器支持点（５２）と、前後方向において同じ位置又はドレン容器支持点（５２）よりも後方に位置する。
2019035200.tif 000002
【特許請求の範囲】
【請求項１】
手を挿抜可能な空間である手挿入部をなす凹部が形成されたケーシングと、
前記手挿入部の上方から下向きに空気流を噴出させるノズルと、
前記手挿入部の後方に配置される背面側水受け部と、前記手挿入部の下方に配置される底面側水受け部とを有する水受け部と、
前記底面側水受け部の下方で前記ケーシングに着脱されるドレン容器とを有し、
前記ケーシングは、前記ドレン容器を支持するケーシング係止突起部を備え、
前記ドレン容器の重心は、前記ケーシング係止突起部が前記ドレン容器を支持する点と、前後方向において同じ位置又は前記ケーシング係止突起部が前記ドレン容器を支持する点よりも後方に位置することを特徴とする手乾燥装置。
【請求項２】
前記ドレン容器は、後方側が下がる傾斜を底面に有し、
水が溜まった前記ドレン容器の重心は、空の前記ドレン容器の重心よりも後方に移動することを特徴とする請求項１に記載の手乾燥装置。
【請求項３】
前記ドレン容器を前記ケーシングに装着した状態において、前記ドレン容器の重心は、前記ケーシングの前後方向の中央よりも前方に位置することを特徴とする請求項１又は２に記載の手乾燥装置。
【請求項４】
前記ケーシングの奥行きは、１５０ｍｍ以下であることを特徴とする請求項１から３のいずれか１項に記載の手乾燥装置。
【発明の詳細な説明】
【技術分野】
【０００１】
本発明は、濡れた手を乾燥させる手乾燥装置に関する。
【背景技術】
【０００２】
従来、空気流を濡れた手に当てることで手を乾燥させる手乾燥装置が知られている。特許文献１には、外部に向かって開口した手挿入口から手を抜き差しできる乾燥空間に挿入される手に対して空気流を吹き当てて、手に付着している水分を払拭又は乾燥させる手乾燥装置が開示されている。
【先行技術文献】
【特許文献】
【０００３】
【特許文献１】特開２００８−２４６０５５号公報
【発明の概要】
【発明が解決しようとする課題】
【０００４】
特許文献１に開示されるような手乾燥装置では、ドレン容器の前方側の容量を大きくして水を溜める空間を確保している。したがって、ドレン容器の重心位置は、ケーシングで支えられる位置よりも前方になる。このため、特許文献１に開示されるような手乾燥装置は、ドレン容器が自重で前下がりに傾き、ケーシングとドレン容器との間に隙間が発生し、美観が損なわれる。さらに、ドレン容器に水が溜まると、ドレン容器の重心位置は、ドレン容器が空の場合より前方に移動する。したがって、ドレン容器に水が溜まると、ケーシングとドレン容器との隙間が拡大してしまっていた。【０００５】
本発明は、上記に鑑みてなされたものであって、取り外し可能なドレン容器とケーシングとの間に隙間が生じることを防止した手乾燥装置を得ることを目的とする。
【課題を解決するための手段】
【０００６】
上述した課題を解決し、目的を達成するために、本発明は、手を挿抜可能な空間である手挿入部をなす凹部が形成されたケーシングと、手挿入部の上方から下向きに空気流を噴出させるノズルと、手挿入部の後方に配置される背面側水受け部と、手挿入部の下方に配置される底面側水受け部とを有する水受け部と、底面側水受け部の下方でケーシングに着脱されるドレン容器とを有する。ケーシングは、ドレン容器を支持するケーシング係止突起部を備える。ドレン容器の重心は、ケーシング係止突起部がドレン容器を支持する点と、前後方向において同じ位置又はケーシング係止突起部がドレン容器を支持する点よりも後方に位置する。
【発明の効果】
【０００７】
本発明に係る手乾燥装置は、取り外し可能なドレン容器とケーシングとの間に隙間が生じることを防止できるという効果を奏する。
【図面の簡単な説明】
【０００８】
【図１】本発明の実施の形態１に係る手乾燥装置の外観を示す斜視図
【図２】実施の形態１にかかる手乾燥装置の着脱底面部をドレン容器から取り外した状態の外観を示す斜視図
【図３】実施の形態１にかかる手乾燥装置のケーシングとドレン容器との係止部分の断面図
【図４】実施の形態１に係る手乾燥装置の横方向の中央部での断面図
【図５】実施の形態１にかかる手乾燥装置のドレン容器とケーシングとの係止部分の断面図
【図６】実施の形態１にかかる手乾燥装置において、ドレン容器に水がたまった状態での、ドレン容器とケーシングとの係止部分の断面図
【図７】実施の形態１に係る手乾燥装置のドレン容器と着脱底面部とを連結した状態を示す断面図
【図８】実施の形態１に係る手乾燥装置のドレン容器と着脱底面部とを連結する前の状態を示す断面図
【図９】実施の形態１に係る手乾燥装置のドレン容器から着脱底面部を取り外した状態を示す断面図
【発明を実施するための形態】
【０００９】
以下に、本発明の実施の形態に係る手乾燥装置を図面に基づいて詳細に説明する。なお、この実施の形態によりこの発明が限定されるものではない。
【００１０】
実施の形態１．
図１は、本発明の実施の形態１に係る手乾燥装置の外観を示す斜視図である。図２は、実施の形態１にかかる手乾燥装置の着脱底面部をドレン容器から取り外した状態の外観を示す斜視図である。図３は、実施の形態１にかかる手乾燥装置のケーシングとドレン容器との係止部分の断面図である。図１及び図２に示すように、手乾燥装置１００の外郭をなすケーシング１は、手を乾燥しようとする使用者が立つ正面側及び側面側に手挿入口２が形成されており、手挿入口２につながる処理空間である手挿入部３を備えている。すなわち、手挿入部３は、正面及び両側面が開放されることによってケーシング１の正面下部に形成された凹部の内側の空間である。使用者は、正面及び両側面の手挿入口２を通じて手挿入部３に手を挿抜可能である。
【００１１】
水受け部４は、複数の部品によって構成されており、手挿入部３の後方に手乾燥装置１００の高さ方向に沿って設けられた立壁面を有する背面部である背面側水受け部４ａと、手挿入部３の下方に設けられた底面部である底面側水受け部４ｂとを備える。背面側水受け部４ａ及び底面側水受け部４ｂを合わせて水受け部４という。水受け部４は、手挿入部３の下方から後方にわたって、側面断面視においてＬ字形状をなすように設けられている。
【００１２】
背面側水受け部４ａの左右の端縁部には、前方に突出した防水壁４４が設けられている。底面側水受け部４ｂの前方及び左右の端縁部には、上方に突出した防水壁４４が設けられている。防水壁４４は、手から吹き飛ばされて背面側水受け部４ａ又は底面側水受け部４ｂに付着した水滴が手乾燥装置１００の側方又は前方に飛散することを防止している。
【００１３】
底面側水受け部４ｂは、背面側水受け部４ａと一体に構成された固定底面部４１ｂと、ドレン容器６の上端部６ａを覆い、ドレン容器６とともにケーシング１に着脱可能な着脱底面部４２ｂとを有する。固定底面部４１ｂは、背面側水受け部４ａの下部につながり正面側に向かって延びている。着脱底面部４２ｂは、ドレン容器６に着脱自在なトレイ形状とされている。背面側水受け部４ａと固定底面部４１ｂとは、一体に形成されている。また、背面側水受け部４ａ及び固定底面部４１ｂは、ケーシング１の一部分を形成している。
【００１４】
防水壁４４は、手挿入部３の中心寄りに設けられた防水壁立ち部４４ａと、防水壁立ち部４４ａよりも本体外側寄りに設けられた防水壁傾斜部４４ｂとを備えている。背面側水受け部４ａから前方に向かって延びる防水壁４４に設けられた防水壁傾斜部４４ｂは、手挿入部３の内側ほど背面側に向かって傾斜している。底面側水受け部４ｂから上方に向かって延びる防水壁４４に設けられた防水壁傾斜部４４ｂは、手挿入部３の中心側ほど下方に向かって傾斜している。防水壁傾斜部４４ｂは、防水壁４４の全長にわたって設けられている。防水壁４４に防水壁傾斜部４４ｂが設けられていることにより、防水壁傾斜部４４ｂに付着した水滴は、ケーシング１の外ではなく手挿入部３側に流れ落ちる。
【００１５】
背面側水受け部４ａから前方に延びる防水壁４４の防水壁傾斜部４４ｂに付着した水滴は、自重によって下方へ移動する。背面側水受け部４ａから前方に延びる防水壁４４の防水壁傾斜部４４ｂの下部は、底面側水受け部４ｂから上方に延びる防水壁４４の防水壁立ち部４４ａにつながっている。したがって、背面側水受け部４ａから前方に延びる防水壁４４の防水壁傾斜部４４ｂを流れ落ちた水滴は、底面側水受け部４ｂから上方に延びる防水壁４４の防水壁立ち部４４ａを伝って手挿入部３の下方の底面側水受け部４ｂに流れる。底面側水受け部４ｂに流れた水滴は、排水口５を経由してドレン容器６に溜まる。
【００１６】
防水壁４４に防水壁傾斜部４４ｂが設けられていないと、手から吹き飛ばされた水滴が防水壁４４上に留まり、次に使用する使用者が手挿入部３に手を挿入してノズル１２から空気流が吹き出された際に、防水壁４４上の水滴がケーシング１の外に飛散してしまう可能性がある。手乾燥装置１００は、商業施設及び飲食店といった多数の人が利用する場所に設置されることが多いため、手から吹き飛ばされた水滴は、手乾燥装置１００の使用後に速やかに水受け部４を流れ、ドレン容器６に回収できることが求められる。
【００１７】
背面側水受け部４ａは、手挿入部３の後側に設けられている。底面側水受け部４ｂは、背面側水受け部４ａの下部から手乾燥装置１００の正面側に向かって延びてケーシング１に固定された固定底面部４１ｂと、着脱自在に設けられたトレイ形状の着脱底面部４２ｂとに分割されている。背面側水受け部４ａと固定底面部４１ｂとは、一体に形成されており、またケーシング１の一部を構成している。
【００１８】
着脱底面部４２ｂは、後方ほど下がるように傾斜しており、傾斜の下端に排水口５が設けられている。着脱底面部４２ｂにおける後側の外縁領域４２ｂａと、固定底面部４１ｂにおける前側の外縁領域４１ｂａとは、上下に重複して重複領域４３をなしている。また、重複領域４３において、外縁領域４２ｂａは、外縁領域４１ｂａとの間に排水口５となる隙間を有した状態で外縁領域４１ｂａの上方に配置されている。
【００１９】
水受け部４の下方には、排水口５から滴下する水を貯留するドレン容器６が、ケーシング１に対して抜き差し自在に設置されている。ドレン容器６は、ケーシング１の一部分であるケーシング係止突起部１９ａがドレン容器６の一部分であるドレン容器係止受け部１９ｂに係止されることで、ケーシング１に固定される。ケーシング１へのドレン容器６の着脱については、後述する。
【００２０】
水受け部４の表面には、シリコン系の撥水コーティング、フッ素系の撥水コーティング又は酸化チタンといった親水性を有する材料のコーティングが施されており、水受け部４の表面に汚れが付着しにくいようにされている。また、水受け部４の表面には、抗菌剤が含浸されており、水受け部４の表面で細菌が繁殖しにくいようにされている。
【００２１】
図４は、実施の形態１に係る手乾燥装置の横方向の中央部での断面図である。手挿入部３の上方には、手挿入部３に向かって下方に空気流を吹き出すノズル１２が設けられている。ノズル１２よりも背面側には、手挿入部３に手が挿入されているか否かを検知する手検知センサ１４が、ノズル１２に隣接して設けられている。
【００２２】
手挿入部３よりも上方のケーシング１の側面には、吸気口９が形成されたメンテナンスパネル２０が配置されている。メンテナンスパネル２０には、不図示のフィルタが一体に形成されている。メンテナンスパネル２０は、背面側から前面側に向かうにしたがって、左右方向における中央側に向かって傾斜する傾斜面２０ａが表面の一部分に設けられてルーバー状になっている。傾斜面２０ａの前縁部と、メンテナンスパネル２０の裏面との間に設けられた隙間によって吸気口９が形成されている。
【００２３】
手挿入部３の上方には、手乾燥装置１００の背面側の外郭をなすベース７とケーシング１とが箱体状となって囲む空間が存在する。ベース７は、手乾燥装置１００の上部における背面側の外郭をなし、ケーシング１の背面側に固定されている。箱体状の部分の内部の空間には、直流ブラシレスモータと、直流ブラシレスモータによって回転するターボファンとによって構成された空気流発生部である高圧空気流発生装置８と、手検知センサ１４の手の検知信号に応じて高圧空気流発生装置８を運転させる不図示の制御回路とが組み込まれている。なお、直流ブラシレスモータの代わりに整流子モータ又は誘導電動機を用いても良い。
【００２４】
また、箱体状の部分の内部の空間には、高圧空気流発生装置８の吸気側と吸気口９とを連通する吸気風路１０と、高圧空気流発生装置８の排気側とノズル１２とを連通する排気風路１３とが設けられている。排気風路１３の途中であってノズル１２よりも上流側には、高圧空気流発生装置８から送られてくる空気を加熱して温風化させるヒータ１５が設置されている。
【００２５】
次に、ノズル１２と排気風路１３との構成について説明する。排気風路１３を構成する部品は、高圧空気流発生装置８の排気側を覆い、チャンバを構成するモータカバー３１に、高圧空気流発生装置８から発生する高圧空気流の漏れを防ぐ連結部３２を介して連結される。連結部３２は、排気風路１３に配置されるヒータ１５の発熱を考慮して、耐熱性のあるシリコン樹脂製とされている。モータカバー３１と排気風路１３とは、ねじで固定される。したがって、ヒータ１５及び高圧空気流発生装置８の部品は、容易に交換可能である。また、排気風路１３内の清掃も可能である。
【００２６】
排気風路１３は、ケーシング１の下流側が前方に位置するように前方斜め下に向かい、排気風路１３の途中で、下流側が後方に位置するように後方に向かう方向に曲がっている。排気風路１３の下端には、ノズル１２が設置されている。ノズル１２から吹き出された気流は、排気風路１３の延びる方向に従って後方へ向かう。排気風路１３は、ケーシング１を除くケーシング１内部の部品の中では、最も前方に突出している。ノズル１２は、排気風路１３が後方に曲がった後の下流端に設置されているため、連結部３２の前端とノズル１２とは、前後方向の位置が概ね同じ位置となる。
【００２７】
連結部３２は、シール材及び締結部材を配置するスペースを要する。ケーシング１の前後方向の寸法は、ケーシング１の内部で最も前方に突出している排気風路１３の大きさに依存して定まる。ケーシング１の前後方向の寸法と、ノズル１２の位置とにより、ケーシング１の前面とノズル１２の吹出口の距離とを最小に構成でき、ノズル１２から吹き出される風は後方へ向かうため、手から前方に吹き飛ばされる水滴が少なく、ノズル１２がケーシング１の前端付近にあるため、使い勝手が良い。
【００２８】
使用者が大人であることを想定する場合、ノズル１２の吹出口と背面側水受け部４ａとの距離が１１０ｍｍから１３０ｍｍであるとすると、手もみをしたときに手全体に風が当たり、かつ背面側水受け部４ａに手が触れることがない。また、ケーシング１の前端とノズル１２の吹出口との距離は、１０ｍｍ以下とすると、手乾燥装置１００の使い勝手の向上を図ることができる。これにより、手乾燥装置１００の本体を極力大きくすることなく、ノズル１２と背面側水受け部４ａとの距離を長くすることができる。
【００２９】
手乾燥装置１００は、排気風路１３が連結部３２の前端よりも前方に配置されており、ノズル１２から吹き出す気流は、連結部３２の前端と同じ位置から後方側に吹き出されるため、手を挿入する空間を確保しつつ、壁からの手乾燥装置１００の本体の突出を最小限に抑えることができる。また、手から吹き飛ばされた水滴は、背面側水受け部４ａの壁面側へ吹き飛ぶので、ケーシング１の下部にある水受け部４で確実に回収することができる。手乾燥装置１００は、ケーシング１の奥行寸法を１５０ｍｍ以下とすることで、使い勝手がよく、水滴を確実に回収でき、衛生的にすることができる。また、手乾燥装置１００は、ケーシング１の奥行寸法を１５０ｍｍ以下とすることで、壁からの突出を小さくし、狭い洗面所又はトイレ空間に設置可能とすることができる。
【００３０】
一方、手乾燥装置１００とは異なり連結部の前端よりも後側にノズルが配置された手乾燥装置においては、ケーシングの前面とノズルの吹出口との距離が長くなり、手を手挿入部に入れても風が手全体に当たらず、手が乾かないことがある。したがって、連結部の前端よりも後側にノズルが配置された手乾燥装置は、手を乾かせるようにするためには、ケーシングを大きくしなければならず、製品の小型化は難しかった。
【００３１】
また、手乾燥装置１００は、吸気風路１０の前段に、高圧空気流発生装置８へ吸い込まれる空気中の塵埃を除去する樹脂製又は金属製の不図示のフィルタがメンテナンスパネル２０と一体で成形されている。不図示のフィルタは、ケーシング１の内側の側方に、着脱可能に取り付けられている。不図示のフィルタは、ケーシング１の側面へのメンテナンスパネル２０の抜き差しによって着脱できる。不図示のフィルタの面積は、吸気口９及び吸気風路１０の通風方向に直交する方向での断面積よりも大きくなっている。なお、不図示のフィルタは、ＨＥＰＡ（High  Efficiency  Particulate  Air）フィルタ又は抗菌フィルタであってもよい。
【００３２】
吸気口９は、ケーシング１の背面に設けられてもよい。吸気口９を背面に設ける場合は、ベース７の一部に吸気口９が配置される。ケーシング１の背面側に吸気口９を設けることで、手乾燥装置１００の外観の意匠性が向上する。
【００３３】
ケーシング１の上面には、不図示の操作スイッチ部が配置されている。操作スイッチ部には、制御回路への通電の入り切りを行う不図示の電源スイッチと、ノズル１２から吹き出す風の風速の強弱を切り替えたり、ヒータ１５の入り切りを行う不図示の切替スイッチとが設けられる。
【００３４】
操作スイッチ部は、電源スイッチと不図示の操作スイッチが実装された不図示の制御基板と、制御基板を上方から覆うように取り付けられた不図示の操作スイッチカバーとで構成される。操作スイッチカバーは、アクリロニトリルブタジエンスチレン共重合合成樹脂（Acrylonitrile  Butadiene  Styrene,  ABS）又はポリプロピレンといった樹脂製で、電源スイッチと操作スイッチを操作するための不図示の押しボタンが設けられ、押しボタンは手で押しボタンを押した時に上下方向に可動するように、バネ性をもつ形状となっている。操作スイッチには、タクトスイッチ又は静電容量式のスイッチが用いられる。
【００３５】
操作スイッチ部は、吸気風路１０の上方に固定されている。ケーシング１には、ケーシング１を取り付けた時に、操作スイッチ部がケーシング１の上面に表れるように上面開口部３７が設けられている。ケーシング１をベース７に取り付けた状態では、上面開口部３７に操作スイッチ部がはまり込む構造となっている。ケーシング１と操作スイッチ部は上面開口部３７の付近で固定され、上面開口部３７と操作スイッチ部との間に殆ど隙間がない状態で取り付けることが可能となる。操作スイッチ部とケーシング１との固定には、ねじを用いてもよい。
【００３６】
また、操作スイッチ部は、ケーシング１に開閉可能に取り付けられた操作部パネル１８で覆われている。操作スイッチ部を操作する手順を説明する。まず操作部パネル１８をケーシング１左右方向の外側に向かって水平に移動させ、移動後の操作部パネル１８を回転軸まわりに上方に回転させ、操作部パネル１８を開く。操作部パネル１８の回転軸は、左右方向に移動可能となっており、操作部パネル１８が「閉」の状態では、ケーシング１と操作部パネル１８との間に隙間が発生しない構造となっている。これにより見栄えを損なうことなく、埃の侵入及び水の浸入を防ぐことができる。また操作部パネル１８を開ける際は、操作部パネル１８をケーシング１の左右方向の外側に向かって水平に移動させる必要があるため、操作方法を把握しているメンテナンス作業者以外の者は、操作部パネル１８を開けることが難しい。したがって、手乾燥装置１００は、操作スイッチ部へのいたずらを防止できる。
【００３７】
操作スイッチカバーの上面には、ラベル又はプラスチックフィルムが貼り付けられており、電源の入り切り、ノズル１２から吹き出す風の風速の切り替え、ヒータ１５の入り切りの状態表示説明が表示されている。また、操作スイッチカバーの上面には、状態表示用のランプが設置されている。ランプの光を透過させるために操作スイッチカバーに形成された穴をラベル又はプラスチックフィルムによって塞ぐため、埃の侵入及び水の浸入を防止できる。
【００３８】
次に、ケーシング１へのドレン容器６の着脱について説明する。図２及び図３に示すように、ケーシング１の両側面の下部には、底面側水受け部４ｂの固定底面部４１ｂよりも前方に突出した一対のケーシング係止突起部１９ａが設けられている。ケーシング１がケーシング係止突起部１９ａを備え、ケーシング係止突起部１９ａを挿入可能なドレン容器係止受け部１９ｂをドレン容器６が備えることで、ドレン容器６を手乾燥装置１００の前後方向に抜き差しでき、ドレン容器６がケーシング１に対して着脱自在とされている。
【００３９】
したがって、ケーシング係止突起部１９ａとドレン容器係止受け部１９ｂとによって構成されるドレン容器６とケーシング１との嵌め合い構造の少なくとも一部がケーシング１の下部に設けられており、かつ嵌め合い構造の少なくとも一部が固定底面部４１ｂと着脱底面部４２ｂとの境界部にある排水口５よりも後方に位置している。これにより、水受け部４で受けた水が、分割部である排水口５よりも後方に位置している嵌め合い構造に到達することが無く、汚れが堆積することが抑制される。
【００４０】
ドレン容器６をケーシング１に装着する場合には、ケーシング１のケーシング係止突起部１９ａがドレン容器６のドレン容器係止受け部１９ｂに嵌め込まれる。これにより、図３に示すように、ドレン容器６は、ケーシング１に固定され、ケーシング１から落ちることがない。そして、ケーシング１へのドレン容器６の着脱は、底面側水受け部４ｂの着脱底面部４２ｂには関係なく、ケーシング１に対して独立して行われる。したがって、ドレン容器６は、着脱底面部４２ｂがドレン容器６から取り外された状態でも、ケーシング１に対して固定されたままの状態を維持することができる。
【００４１】
図５は、実施の形態１にかかる手乾燥装置のドレン容器とケーシングとの係止部分の断面図である。図６は、実施の形態１にかかる手乾燥装置において、ドレン容器に水がたまった状態での、ドレン容器とケーシングとの係止部分の断面図である。ドレン容器６をケーシング１に装着した状態では、ケーシング係止突起部１９ａは、ドレン容器重心位置５１よりも前方側でドレン容器６を支持するように、ケーシング係止突起部１９ａの前後方向の長さが設定されている。ケーシング係止突起部１９ａは、前端部かつ上端部に位置するドレン容器支持点５２でドレン容器６を支持する。上記構造とすることで、ドレン容器６をケーシング１に装着した状態では、ドレン容器重心位置５１がケーシング係止突起部１９ａのドレン容器支持点５２よりも後方側にあるため、ドレン容器６の自重で前方が下がるように傾いた状態でドレン容器６を装着してしまうことを防止できる。また、ドレン容器６をケーシング１に装着した状態において、ドレン容器６重心位置５１は、ケーシング１の前後方向の中央よりも前方に位置する。
【００４２】
また、ドレン容器６は、後方側が下がるようにドレン容器底面５４が傾斜している。ドレン容器底面５４の後方側は、ケーシング１への取り付けのため水平面となっている。ドレン容器底面５４の後方側が下がる傾斜は、ドレン容器重心位置５１まで継続する。なお、ドレン容器底面５４の後方側が下がる傾斜は、ドレン容器重心位置５１よりも後方側まで継続してもよい。ドレン容器６に水が溜まると、ドレン容器重心位置５１よりも後方に溜まる水の体積は、ドレン容器重心位置５１よりも前方に溜まる水の体積よりも大きくなる。すなわち、ドレン容器６に水が溜まった状態でのドレン容器重心位置５５は、ドレン容器６が空の状態でのドレン容器重心位置５１よりも後方に移動する。上記構造とすることで、ドレン容器６をケーシング１に装着した状態では、ドレン容器６に水が溜まった状態でのドレン容器重心位置５５が、ケーシング係止突起部１９ａのドレン容器支持点５２よりも後方にあるため、ドレン容器６の前部が下に傾いた状態でドレン容器６を装着してしまうことを防止できる。
【００４３】
また、ケーシング１とドレン容器６の側面との合わせ目５３は、ドレン容器６に水が溜まった状態でも傾くことがないため、隙間無くドレン容器６を取り付けることが可能となる。
【００４４】
一方、ドレン容器６をケーシング１から取り外す場合には、ドレン容器６を前方に引っ張ることで、ケーシング１のケーシング係止突起部１９ａがドレン容器６のドレン容器係止受け部１９ｂから引き抜かれる。ケーシング係止突起部１９ａがドレン容器係止受け部１９ｂから引き抜かれることにより、ドレン容器６がケーシング１から取り外された状態となる。
【００４５】
また、着脱底面部４２ｂの左右の端縁部には、防壁構造４２ｂｂが設けられ、ケーシング１のケーシング係止突起部１９ａとドレン容器６のドレン容器係止受け部１９ｂとの合わせ目を覆っている。これにより、使用を継続することでケーシング係止突起部１９ａとドレン容器係止受け部１９ｂとの合わせ目に徐々に汚れが蓄積することを低減できる。
【００４６】
次に、ドレン容器６への着脱底面部４２ｂの着脱について説明する。図７は、実施の形態１に係る手乾燥装置のドレン容器と着脱底面部とを連結した状態を示す断面図である。図８は、実施の形態１に係る手乾燥装置のドレン容器と着脱底面部とを連結する前の状態を示す断面図である。図９は、実施の形態１に係る手乾燥装置のドレン容器から着脱底面部を取り外した状態を示す断面図である。着脱底面部４２ｂは、ドレン容器６に対して単独で着脱自在とされており、ドレン容器６の後側から抜き差し可能とされ、ドレン容器６に対して上方に取り付けられる。すなわち、防壁構造４２ｂｂの外周縁部における下面部は、ドレン容器６の上端部６ａに対応した形状を有する。これにより、着脱底面部４２ｂの外周縁部の下面部がドレン容器６の上端部６ａに嵌ることで、着脱底面部４２ｂがドレン容器６上に固定される。したがって、ドレン容器６と着脱底面部４２ｂとは嵌め合い構造によって連結されて固定可能とされている。
【００４７】
そして、着脱底面部４２ｂは、ドレン容器６がケーシング１に装着された状態またはドレン容器６がケーシング１から取り外された状態のいずれの状態においても、ドレン容器６に対して着脱自在とされている。したがって、図９に示すように、ドレン容器６がケーシング１に装着された状態で着脱底面部４２ｂをドレン容器６から単独で取り外すことができる。
【００４８】
また、ドレン容器６の左右の内壁上部には、後側からドレン容器６に連結される着脱底面部４２ｂと嵌まり合うドレン容器嵌合部７１が設けられている。ドレン容器嵌合部７１の形状は、前後方向の長さが上下方法の長さよりも長い。すなわちドレン容器嵌合部７１は、奥行き方向の寸法が高さ方向の寸法よりも長い。ドレン容器嵌合部７１の後側の下部は、着脱底面部４２ｂを挿入しやすいように、角に面取りが施されている。また、ドレン容器６の前側の内壁上部には、ドレン容器嵌合部７５が設けられている。
【００４９】
着脱底面部４２ｂには、着脱底面部嵌合部７２が、着脱底面部４２ｂの外側の側面に設けられている。着脱底面部嵌合部７２は、ドレン容器嵌合部７１と嵌まり合う。着脱底面部嵌合部７２の形状は、前後方向の長さが上下方向よりも長い。すなわち着脱底面部嵌合部７２は、奥行き方向の寸法が高さ方向の寸法よりも長い。着脱底面部嵌合部７２の前側の上部は、ドレン容器６に挿入しやすいように、角が面取りされている。また着脱底面部４２ｂの前側には、着脱底面部嵌合部７６が設けられている。このように、ドレン容器６及び着脱底面部４２ｂは、互いに嵌合する嵌合部を備えている。
【００５０】
ドレン容器６と着脱底面部４２ｂとを連結する際は、着脱底面部４２ｂをドレン容器６の後側から前側に向かってスライドさせて連結させる。ドレン容器６と着脱底面部４２ｂとが連結した状態では、ドレン容器嵌合部７１及び着脱底面部嵌合部７２は、ドレン容器嵌合部７１が上側で着脱底面部嵌合部７２が下側となって当接し、がたつくことなく配置される。また、ドレン容器嵌合部７５及び着脱底面部嵌合部７６は、ドレン容器嵌合部７５が上側で着脱底面部嵌合部７６が下側となって当接し、がたつくことなく配置される。
【００５１】
着脱底面部４２ｂを取り外すときは、ドレン容器６を取り外した後、着脱底面部４２ｂをドレン容器６の後側へスライド移動させることで、着脱底面部４２ｂとドレン容器６とが分離する。
【００５２】
上記のように、着脱底面部４２ｂは、ドレン容器６から上方に取り外すことができない構造になっている。したがって、使用者が手乾燥装置１００を使用する際、手に衝突した噴流が背面側水受け部４ａに向かい、背面側水受け部４ａに沿って、固定底面部４１ｂと着脱底面部４２ｂとの分割部に隙間を設けて構成された排水口５に流れ込むことにより、着脱底面部４２ｂが風圧によって上方に浮き上がることは防止される。
【００５３】
ドレン容器６の後側には、上方に向かって突出するドレン容器突起部７７が設けられている。ドレン容器突起部７７の上面は、円形又は四角形となっている。ドレン容器６と着脱底面部４２ｂとは、ドレン容器嵌合部７１，７５及び着脱底面部嵌合部７２，７６で連結されるため、ドレン容器６をケーシング１に取り付けた状態で、ドレン容器突起部７７が固定底面部４１ｂの裏側に接触するようになっている。すなわち、着脱底面部４２ｂは、ドレン容器６をケーシング１に装着したときケーシング１と接する。
【００５４】
これにより、ドレン容器６を挿抜する際に、固定底面部４１ｂの裏側に着脱底面部４２ｂが引っかかることなく挿抜可能となる。また、ドレン容器突起部７７が固定底面部４１ｂの裏側に接触するか、殆ど隙間がない構造となるため、がたつきがなくスムーズな挿抜が可能となる。また、ドレン容器６の装着時における装着強度が増加するため、ドレン容器６が満水の時でも、ドレン容器６が傾いてしまうことがない。またドレン容器突起部７７のみが当接するだけなので、ドレン容器６の装着時の摩擦が小さく挿入性も良いことから、装着強度を確保しながら装着性も向上させることができる。
【００５５】
また、着脱底面部４２ｂとドレン容器６をケーシング１に取り付けた状態で清掃する場合は、着脱底面部４２ｂとドレン容器６とを濡れた雑巾などで拭くことで、ドレン容器６には下方に負荷が加わる。ドレン容器突起部７７があることで、ドレン容器６にがたつきが無いので、ドレン容器６に下方に負荷が加わっても、無理なく拭き清掃することが可能となる。また、ケーシング１とドレン容器６との側面側の合わせ目５３は、ドレン容器６の下方に負荷が加わってもドレン容器突起部７７によりがたつかないので、隙間が発生することを防ぐことが可能となる。
【００５６】
また、ドレン容器６にぶら下がったり、ドレン容器６を無理に下方に押したりした場合でも、ドレン容器突起部７７を設けたことで、ドレン容器６の前端側が下方に傾くことを防ぐことが可能となる。
【００５７】
また、ドレン容器突起部７７は、上面が円形又は四角形で高さの低い形状であるため、ドレン容器６に下方への負荷がかけられた時も折れたり破損したりすることがない。また、ドレン容器６の挿抜の繰り返しでドレン容器突起部７７が破損することもない。
【００５８】
また、実施の形態１に係る手乾燥装置１００は、ドレン容器６をケーシング１から取り外した後に、着脱底面部４２ｂをドレン容器６から取り外して容易に清掃することができる。したがって、ドレン容器６に溜まった水を廃棄する際に、着脱底面部４２ｂをドレン容器６から取り外して容易に清掃できる。
【００５９】
次に、手乾燥装置１００における水滴の回収について説明する。使用者が手挿入部３に手を挿入すると、高圧空気流発生装置８が作動し、ノズル１２から空気流が吹き出される。これにより、空気流によって手から水滴が吹き飛ばされる。手から吹き飛ばされた水滴は、水受け部４で受け止められる。上述したように、水受け部４の底面側水受け部４ｂにおいては、重複領域４３において、着脱底面部４２ｂにおける後ろ側の外縁領域４２ｂａと、固定底面部４１ｂにおける前方側の外縁領域４１ｂａとの間の隙間である排水口５が設けられている。
【００６０】
水受け部４で受け止められた水滴は、排水口５に送られ、水受け部４の下方に配置されたドレン容器６に回収される。着脱底面部４２ｂに受け止められた水滴は、後方に流れて排水口５に到達し、排水口５からドレン容器６に滴下する。一方、固定底面部４１ｂに受け止められた水滴は、前方に流れて排水口５に到達し、排水口５からドレン容器６に滴下する。また、背面側水受け部４ａに受け止められた水滴は、固定底面部４１ｂに流れ、固定底面部４１ｂを前方に流れて排水口５に到達し、排水口５からドレン容器６に滴下する。このように、水受け部４で受け止められた水滴は、底面側水受け部４ｂにおける固定底面部４１ｂと着脱底面部４２ｂとの分割部に設けられた隙間である排水口５を通して、水受け部４で受けた水滴がドレン容器６へ導かれる。
【００６１】
これにより、底面側水受け部４ｂにおける固定底面部４１ｂと着脱底面部４２ｂとの分割部に汚れが堆積することを抑制できる。すなわち、固定底面部４１ｂと着脱底面部４２ｂとの分割部に隙間を設けて排水口５にすることで、水滴で分割部の汚れが流されるため、分割部に汚れが堆積することを抑制できる。また、固定底面部４１ｂと着脱底面部４２ｂとは、直接固定されておらず、固定底面部４１ｂと着脱底面部４２ｂと嵌め合い構造によって固定される構造ではないため、底面側水受け部４ｂの形状が簡単になり、清掃性が向上する。
【００６２】
また、水受け部４で受け止められた水滴がドレン容器６に流れる過程の中で、底面側水受け部４ｂには汚れが蓄積しやすい。底面側水受け部４ｂは、使用者の目線に主に露出しており、清掃頻度が少ない場合には美観を損ねる。
【００６３】
ここで、着脱底面部４２ｂは、ケーシング１に対して着脱されるのではなく、上述したようにドレン容器６の上に単独で着脱される構成とされている。これにより、着脱底面部４２ｂは、工具を使用しなくても単独で容易に取り外しが可能である。したがって、手乾燥装置１００は、汚れが蓄積しやすく頻繁に掃除しなければならない着脱底面部４２ｂを取り外して容易に清掃することができるため、水受け部４の衛生性及び清潔性を保つことができ、また水受け部４の清掃性及びメンテナンス性が向上する。なお、ドレン容器６への着脱底面部４２ｂの固定方法は、嵌め合い構造以外に爪構造であっても同様の効果が得られる。
【００６４】
また、着脱底面部４２ｂを取り外すことで、ドレン容器６がケーシング１に装着された状態でも、固定底面部４１ｂを容易に清掃することが可能である。したがって、手を乾燥する際に飛び散った水滴は固定底面部４１ｂに付着し、使用を継続すると汚れが徐々についてくるが、固定底面部４１ｂを容易に清掃することができる。
【００６５】
また、着脱底面部４２ｂは、ドレン容器６に支持されており、固定底面部４１ｂとは固定されていない。そして、上述したようにドレン容器６は、ケーシング１に直接支持されている。これにより、ドレン容器６に溜まった水の重量が増加した場合でも、着脱底面部４２ｂと固定底面部４１ｂとの分割部に直接力が加わるということがないため、分割部の構造を簡単にでき、水受け部４の清掃性を向上できる。
【００６６】
また、着脱底面部４２ｂが固定底面部４１ｂとは係止されない構造とすることで、着脱底面部４２ｂ及び固定底面部４１ｂを凹凸の少ない単純形状で構成することができるため、底面側水受け部４ｂの清掃が容易となる。
【００６７】
また、手乾燥装置１００は、汚れの溜まりやすい着脱底面部４２ｂをケーシング１ではなくドレン容器６に係止させる構造とされている。そして、着脱底面部４２ｂをドレン容器６に嵌め合わせて係止するための嵌め合い構造部１１が、着脱底面部４２ｂの外周縁部の下部側に設けられている。すなわち、図１に示すように、手乾燥装置１００は、嵌め合い構造部１１が手乾燥装置１００の外装面に面した構成とされている。この構成により、手乾燥装置１００は、使用を継続することで汚れが徐々についていく部品の合わせ目、すなわち着脱底面部４２ｂとドレン容器６との合わせ目である嵌め合い構造部１１を、水滴が直接吹き飛ぶ手挿入部３に面する領域外に配置することができる。したがって、手乾燥装置１００は、底面側水受け部４ｂで受けた水が嵌め合い構造部１１に到達しないので、嵌め合い構造部１１に汚れが堆積することを抑制でき、清掃頻度が少なくても、底面側水受け部４ｂの周辺の美観を保つことが可能となる。
【００６８】
また、ドレン容器６の上方に配置した着脱底面部４２ｂによって、使用を継続することで汚れが徐々についていく着脱底面部４２ｂを係止するための嵌め合い構造部１１を、使用者の上方からの目線に対して覆い隠すことができる。これにより、底面側水受け部４ｂの周辺の外観に起因して、使用者が手挿入部３に手を挿入したくないという不快感を軽減することが可能となる。
【００６９】
また、水受け部４は、背面側水受け部４ａと底面側水受け部４ｂとの２部品で構成されており、分割部が１箇所とされている。一般的に、部品の分割部は汚れが堆積しやすい。しかしながら、水受け部４は、分割部が１箇所なので、汚れの堆積箇所を最低限にできる。
【００７０】
また、水受け部４の左右方向及び前方の端縁部には、前方又は上方に突出した防水壁４４が設けられている。そして、ドレン容器６とケーシング１との嵌め合い構造は少なくとも防水壁４４の下部に設けられている。したがって、防水壁４４で受け止められた水滴は、速やかに着脱底面部４２ｂ又は固定底面部４１ｂに流れ、排水口５を通してドレン容器６へ導かれる。これにより、防水壁４４で受け止められた水滴はドレン容器６とケーシング１との嵌め合い構造に到達しにくく、嵌め合い構造に汚れが堆積することを抑制できる。
【００７１】
上述したように、本実施の形態１にかかる手乾燥装置１００は、最も汚れが蓄積する水受け部４における底面側水受け部４ｂの着脱底面部４２ｂのみを取り外して、容易に清掃することが可能である。また、着脱底面部４２ｂを取り外すことで、ドレン容器６がケーシング１に装着された状態でも、固定底面部４１ｂを容易に清掃することが可能である。これにより、手乾燥装置１００は、頻繁に掃除しなければならない水受け部４の衛生性及び清潔性を保つことができ、また水受け部４の清掃性及びメンテナンス性が向上する。
【００７２】
したがって、本実施の形態１にかかる手乾燥装置１００によれば、取り外し可能な水受け部４の清掃性が向上する、という効果が得られる。
【００７３】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００７４】
１  ケーシング、２  手挿入口、３  手挿入部、４  水受け部、４ａ  背面側水受け部、４ｂ  底面側水受け部、５  排水口、６  ドレン容器、６ａ  上端部、７  ベース、８  高圧空気流発生装置、９  吸気口、１０  吸気風路、１１  嵌め合い構造部、１２  ノズル、１３  排気風路、１４  手検知センサ、１５  ヒータ、１８  操作部パネル、１９ａ  ケーシング係止突起部、１９ｂ  ドレン容器係止受け部、２０  メンテナンスパネル、２０ａ  傾斜面、３１  モータカバー、３２  連結部、３７  上面開口部、４１ｂ  固定底面部、４１ｂａ，４２ｂａ  外縁領域、４２ｂ  着脱底面部、４２ｂｂ  防壁構造、４３  重複領域、４４  防水壁、４４ａ  防水壁立ち部、４４ｂ  防水壁傾斜部、５１，５５  ドレン容器重心位置、５２  ドレン容器支持点、５３  合わせ目、５４  ドレン容器底面、７１，７５  ドレン容器嵌合部、７２，７６  着脱底面部嵌合部、７７  ドレン容器突起部、１００  手乾燥装置。
【図１】
2019035200.tif 000003
【図２】
2019035200.tif 000004
【図３】
2019035200.tif 000005
【図４】
2019035200.tif 000006
【図５】
2019035200.tif 000007
【図６】
2019035200.tif 000008
【図７】
2019035200.tif 000009
【図８】
2019035200.tif 000010
【図９】
2019035200.tif 000011
【手続補正書】
【提出日】令和1年8月1日(2019.8.1)
【手続補正１】
【補正対象書類名】特許請求の範囲
【補正対象項目名】全文
【補正方法】変更
【補正の内容】
【特許請求の範囲】
【請求項１】
手を挿抜可能な空間である手挿入部をなす凹部が形成されたケーシングと、
前記手挿入部の上方から下向きに空気流を噴出させるノズルと、
前記手挿入部の後方に配置される背面側水受け部と、前記手挿入部の下方に配置される底面側水受け部とを有する水受け部と、
前記底面側水受け部の下方で前記ケーシングに着脱されるドレン容器とを有し、
前記ケーシングは、前記ドレン容器を支持するケーシング係止部を備え、
前記ドレン容器の重心は、前記ケーシング係止部が前記ドレン容器を支持する点と、前後方向において同じ位置又は前記ケーシング係止部が前記ドレン容器を支持する点よりも後方に位置することを特徴とする手乾燥装置。
【請求項２】
前記ドレン容器は、後方側が下がる傾斜を底面に有し、
水が溜まった前記ドレン容器の重心は、空の前記ドレン容器の重心よりも後方に移動することを特徴とする請求項１に記載の手乾燥装置。
【請求項３】
前記ドレン容器を前記ケーシングに装着した状態において、前記ドレン容器の重心は、前記ケーシングの前後方向の中央よりも前方に位置することを特徴とする請求項１又は２に記載の手乾燥装置。
【請求項４】
前記ケーシングの前後方向の寸法は、１５０ｍｍ以下であることを特徴とする請求項１から３のいずれか１項に記載の手乾燥装置。
【手続補正２】
【補正対象書類名】明細書
【補正対象項目名】００２６
【補正方法】変更
【補正の内容】
【００２６】
排気風路１３は、ケーシング１の下流側が前方に位置するように前方斜め下に向かい、排気風路１３の途中で、下流側が後方に位置するように後方に向かう方向に曲がっている。排気風路１３の下端には、ノズル１２が設置されている。ノズル１２から吹き出された気流は、排気風路１３の延びる方向に従って後方へ向かう。排気風路１３は、ケーシング１を除くケーシング１内部の部品の中では、最も前方に位置している。ノズル１２は、排気風路１３が後方に曲がった後の下流端に設置されているため、連結部３２の前端とノズル１２とは、前後方向の位置が概ね同じ位置となる。
【手続補正３】
【補正対象書類名】明細書
【補正対象項目名】００２７
【補正方法】変更
【補正の内容】
【００２７】
連結部３２は、シール材及び締結部材を配置するスペースを要する。ケーシング１の前後方向の寸法は、ケーシング１の内部で最も前方に位置している排気風路１３の大きさに依存して定まる。ケーシング１の前後方向の寸法と、ノズル１２の位置とにより、ケーシング１の前面とノズル１２の吹出口の距離とを最小に構成でき、ノズル１２から吹き出される風は後方へ向かうため、手から前方に吹き飛ばされる水滴が少なく、ノズル１２がケーシング１の前端付近にあるため、使い勝手が良い。
【手続補正４】
【補正対象書類名】明細書
【補正対象項目名】００３４
【補正方法】変更
【補正の内容】
【００３４】
操作スイッチ部は、電源スイッチと不図示の操作スイッチが実装された不図示の制御基板と、制御基板を上方から覆うように取り付けられた不図示の操作スイッチカバーとで構成される。操作スイッチカバーは、アクリロニトリルブタジエンスチレン共重合合成樹脂（Acrylonitrile  Butadiene  Styrene,  ABS）又はポリプロピレンといった樹脂製で、電源スイッチと操作スイッチを操作するための不図示の押しボタンが設けられ、押しボタンは手で押しボタンを押した時に上下方向に可動するように、バネ性をもつ形状となっている。操作スイッチには、タクタイルスイッチ又は静電容量式のスイッチが用いられる。
【国際調査報告】
2019035200.tif 000012
2019035200.tif 000013